(57)【要約】【課題】  本発明の課題は、光ネットワークにおけるデータセントリックアーキテクチャのための方法及びシステムが提供することである。【解決手段】  上記課題を解決するため、本発明による光ネットワークにおけるデータセントリックアーキテクチャのための方法及びシステムは、光リングを有する。いくつかのローカルノードが光リングに接続され、受信波長によりトラフィックを受信するよう構成される。各ローカルノードはまた、他のローカルノードに割当てられた送信波長と異なって割当てられた波長によりトラフィックを送信するよう構成される。各送信波長は、受信波長より小さな帯域幅により送信される。データセンターノードは、光リングに接続され、ローカルノードからトラフィックを受信し、当該トラフィックの送信先に基づきトラフィックの少なくとも一部をソート処理し、受信波長によりトラフィックを送信先に送信するよう動作可能である。【選択図】  図１
2006074765.tif 000002
【特許請求の範囲】
【請求項１】
光リングと、
前記光リングに接続され、受信波長によりトラフィックを受信するよう構成される複数のローカルノードと、
前記光リングに接続され、前記ローカルノードからトラフィックを受信し、前記トラフィックの宛先となるローカルノードに基づき前記トラフィックの少なくとも一部をソート処理し、前記トラフィックを前記受信波長により送信するよう動作可能なデータセンターノードと、
から構成され、
各ローカルノードは、相異なって割当てられた送信波長によりトラフィックを送信するよう構成され、前記送信波長は前記受信波長より小さい帯域幅により伝送されることを特徴とする光ネットワーク。
【請求項２】
請求項１記載の光ネットワークであって、
前記データセンターノードはさらに、集約されたストレージアプリケーションを提供し、前記集約されたストレージアプリケーションに関連するデータに対するリクエストを１以上のローカルノードから受信し、前記リクエストされたデータを前記ローカルノードに提供するよう動作可能なサービスモジュールを有することを特徴とするネットワーク。
【請求項３】
請求項１記載の光ネットワークであって、
前記ローカルノード宛てのトラフィックは、多重化され、前記受信波長により伝送され、ヘッダにより特定される部分を含み、
各ローカルノードはさらに、前記トラフィックの選択部分をアドレッシング情報に基づき１以上のローカルクライアントと通信するよう動作可能なスイッチを有する、
ことを特徴とするネットワーク。
【請求項４】
請求項１記載の光ネットワークであって、
前記受信波長は、毎秒１０ギガビット（Ｇｂ／ｓ）以上により伝送され、
前記送信波長の各々は、１Ｇｂ／ｓ以下の帯域幅により伝送される、
ことを特徴とするネットワーク。
【請求項５】
請求項１記載の光ネットワークであって、
前記複数のローカルノードはさらに、光電変換なしに前記受信波長によりトラフィックをパススルー及びドロップするよう動作可能であることを特徴とするネットワーク。
【請求項６】
請求項１記載の光ネットワークであって、
前記受信波長は、第１受信波長から構成され、
前記データセンターノードはさらに、トラフィックが帯域幅閾値を超えることに応答して、第２受信波長により少なくとも１つのローカルノードに関連するトラフィックを送信するよう構成され、
前記少なくとも１つのローカルノードはさらに、前記第２受信波長によりトラフィックを受信するよう構成される、
ことを特徴とするネットワーク。
【請求項７】
各自がローカルノードに割当てられ、他のローカルノードに割り当てられた送信波長と異なる複数の送信波長によりトラフィックを受信するよう動作可能な複数の受信機と、
前記トラフィックの宛先となるローカルノードに基づき、トラフィックをソート処理するよう動作可能であるデータセンターと、
受信波長により前記トラフィックを送信するよう動作可能な送信機と、
から構成されるデータセンターノードであって、
各ローカルノードは、前記受信波長を受信するよう構成され、
前記受信波長は、前記複数の送信波長より大きな帯域幅により送信される、
ことを特徴とするデータセンターノード。
【請求項８】
光ネットワークにおいてトラフィックを送信する方法であって、
各自がローカルノードに割当てられ、他のローカルノードに割当てられた送信波長とは異なる複数の送信波長により複数のローカルノードからトラフィックを受信するステップと、
前記トラフィックの宛先となるローカルノードに基づき、前記トラフィックをソート処理するステップと、
前記トラフィックを受信波長により送信するステップと、
から構成され、
各ローカルノードは、前記受信波長を受信するよう構成され、
前記受信波長は、前記送信波長より大きな帯域幅により送信される、
ことを特徴とする方法。
【請求項９】
光ネットワークにおいてトラフィックを送信するためのシステムであって、
各自がローカルノードに割当てられ、他のローカルノードに割当てられた送信波長とは異なる複数の送信波長により複数のローカルノードからトラフィックを受信する手段と、
前記トラフィックの宛先となるローカルノードに基づき、前記トラフィックをソート処理する手段と、
前記トラフィックを受信波長により送信する手段と、
から構成され、
各ローカルノードは、前記受信波長を受信するよう構成され、
前記受信波長は、前記送信波長より大きな帯域幅により送信される、
ことを特徴とするシステム。
【請求項１０】
各自がローカルノードに割当てられ、他のローカルノードに割当てられた送信波長と異なる複数の送信波長によりトラフィックを受信するよう動作可能な複数の受信機と、
前記トラフィックの宛先となるローカルノードに基づきトラフィックをソート処理し、サービスモジュールを介し集約されたストレージアプリケーションを提供し、前記集約されたストレージアプリケーションに関連するオーディオビジュアルコンテンツに対するリクエストを１以上のローカルノードから受信し、前記リクエストされたオーディオビジュアルコンテンツを前記ローカルノードに提供するよう動作可能なデータセンターと、
前記送信波長より大きな帯域幅を有する第１受信波長により前記トラフィックを送信するよう動作可能な第１送信機と、
前記第１受信波長により送信されるトラフィックが帯域幅閾値を超えることに応答して、第２受信波長により少なくとも１つのローカルノードに関連するトラフィックを送信するよう動作可能な第２送信機と、
から構成されるデータセンターノードであって、
各ローカルノードは、前記受信波長を受信するよう構成されることを特徴とするデータセンターノード。
【発明の詳細な説明】
【技術分野】
【０００１】
本発明は、一般に光ネットワークに関し、より詳細には、光ネットワークにおけるデータセントリックアーキテクチャ（ｄａｔａ  ｃｅｎｔｒｉｃ  ａｒｃｈｉｔｅｃｔｕｒｅ）のための方法及びシステムに関する。
【背景技術】
【０００２】
通信システム、ケーブルテレビシステム及びデータ通信ネットワークは、光ネットワークを利用してリモートポイント間において大量の情報を迅速に伝達する。光ネットワークでは、情報は光ファイバを介し光信号により伝達される。光ファイバは、極めて低い損失により信号を長距離送信可能な細い線状のガラスから構成される。
【０００３】
光ネットワークはしばしば、ＷＤＭ（Ｗａｖｅｌｅｎｇｔｈ  Ｄｉｖｉｓｉｏｎ  Ｍｕｌｔｉｐｌｅｘｉｎｇ）あるいはＤＷＤＭ（Ｄｅｎｓｅ  Ｗａｖｅｌｅｎｇｔｈ  Ｄｉｖｉｓｉｏｎ  Ｍｕｌｔｉｐｌｅｘｉｎｇ）を利用して送信容量を増大させる。ＷＤＭやＤＷＤＭネットワークでは、いくつかの光チャネルが各ファイバにおいて異なる波長で搬送される。ネットワーク伝送量は、各ファイバの波長数またはチャネル数、及び当該チャネルの帯域幅またはサイズに基づく。リングネットワークのネットワーク伝送量はまた、リングの各ノードでのデータ処理により制限される。
【０００４】
ＷＤＭ及びＤＷＤＭネットワークが構成されるトポロジーは、当該ネットワークの利用性を決定するのに重要な役割を担う。リングトポロジーは、現在のネットワークにおいて一般的なものとなっている。ＷＤＭノードは、このような光リングの周囲のネットワーク要素として機能し、従来はデータをローカルクライアントにルーティングするのに各ノードにおいて光電変換を必要としていた。各ノードでのＷＤＭアッド／ドロップ装置は、典型的には、構成される各チャネルの光電または電光変換を利用してチャネルのアッド、ドロップまたはパススルーを行う。
【発明の開示】
【発明が解決しようとする課題】
【０００５】
本発明の課題は、光ネットワークにおけるデータセントリックアーキテクチャのための方法及びシステムが提供することである。
【課題を解決するための手段】
【０００６】
上記課題を解決するため、本発明による光ネットワークにおけるデータセントリックアーキテクチャのための方法及びシステムは、光リングを有する。いくつかのローカルノードが光リングに接続され、受信波長によりトラフィックを受信するよう構成される。各ローカルノードはまた、他のローカルノードに割当てられた送信波長と異なって割当てられた波長によりトラフィックを送信するよう構成される。各送信波長は、受信波長より小さな帯域幅により送信される。データセンターノードは、光リングに接続され、ローカルノードからトラフィックを受信し、当該トラフィックの送信先に基づきトラフィックの少なくとも一部をソート処理し、受信波長によりトラフィックを送信先に送信するよう動作可能である。
【発明の効果】
【０００７】
本発明の１つの技術的効果は、簡単化されたネットワークハードウェアをもたらし、ＱｏＳ（Ｑｕａｌｉｔｙ  ｏｆ  Ｓｅｒｖｉｃｅ）の最適化を容易にし、ノード間の送信コストを低減、最小化または解消する光ネットワークにおける集約されたデータストレージ及び処理装置を提供することからなる。１以上の実施例の他の効果としては、各主体によるストレージリソースの共有化により、光ネットワークの維持コスト低減、都市郊外へのストレージ施設の配置によるコスト低減、及びシンプルなローカルノード構成などがあげられるかもしれない。１以上の実施例は、ネットワークノードにおける送信機及び／または受信機カード数の減少などの効果を有するかもしれない。一実施例の他の技術的効果には、ネットワークノードの送信機及び／または受信機カード数を減少させる実際のトラフィックパターンに一致して、（光信号と電気信号の両方により、リング上の動的な配信による）ダウンストリームトラフィックに帯域幅を動的に割当てる機能が含まれるかもしれない。
【０００８】
本発明の各種実施例には、列挙された技術的効果の一部またはすべてが含まれるかもしれないし、あるいはこれらの効果が含まれないかもしれないということは理解されるであろう。さらに、本発明の他の技術的効果は、添付された請求項、明細書の記載及び図面から当業者には容易に明らかとなるであろう。
【発明を実施するための最良の形態】
【０００９】
図１は、本発明の一実施例による光リングネットワーク１０を示しているが、本発明によると、他の適切なタイプの光ネットワークが利用されてもよい。光リングは、必要に応じて、単一の一方向ファイバ、単一の双方向ファイバ、あるいは複数の一方向または双方向ファイバを有するものであってもよい。さらに、ネットワーク１０は、いくつかの光チャネルが共通のパスを介し異なる波長により搬送される光ネットワークである。ネットワーク１０は、ＷＤＭネットワーク、ＤＷＤＭネットワーク、あるいは他の適切なマルチチャネルネットワークであってもよい。ネットワーク１０は、短距離メトロポリタンネットワーク、長距離都市間ネットワーク、あるいは他の任意の適切なネットワークまたはネットワークの組み合わせにおいて利用されてもよい。
【００１０】
図１を参照するに、ネットワーク１０は、光リング２０に接続されたデータセンターノード１２と複数のローカルノード１４から構成される。図示された実施例では、リング２０は、反時計回りにトラフィックを伝送する単一の一方向ファイバから構成される。リング２０は、複数のローカルノード１４Ａ、１４Ｂ及び１４Ｃと、データセンターノード１２とを光接続し、各ローカルノード１４は、データセンターノード１２を介し他のローカルノード１４とデータの送受信を行うようにしてもよい。このようなトラフィックは、音声、映像、テキスト、リアルタイム、非リアルタイム及び／または他の適切なデータを符号化するよう変調された少なくとも１つの特性を有する光信号から構成される。変調は、ＰＳＫ（Ｐｈａｓｅ  Ｓｈｉｆｔ  Ｋｅｙｉｎｇ）、ＩＭ（Ｉｎｔｅｎｓｉｔｙ  Ｍｏｄｕｌａｔｉｏｎ）、及び他の適切な方法に基づくものであってもよい。
【００１１】
ローカルノード１４の各々は、リング２０に対しトラフィックをアッド及びドロップするよう動作可能であり、これに関する２つの実施例がさらに図３及び４を参照して説明される。特に、各ローカルノード１４は、ローカルクライアントからトラフィックを受信し、そのトラフィックを光リング２０にアッドする。それと同時に、各ローカルノード１４は、リング２０からトラフィックを受信し、そのローカルノード１４宛てのトラフィックをドロップする。ここで用いられる「各」という用語は、特定されたアイテムの少なくとも一部のそれぞれのアイテムを意味する。トラフィックは、ローカルノード１４のクライアントへの送信に対し当該トラフィックを利用可能にすることにより、リング２０からドロップされてもよい。さらに、トラフィックはリング２０からドロップされるが、当該リング２０において循環し続けるようにしてもよい。ある実施例では、トラフィックは光カプラや他の適切な装置を利用してリング２０に受動的にアッド及びドロップされる。ここでの「受動的に（ｐａｓｓｉｖｅｌｙ）」との表現は、電力及び／または可動部を使用する光スイッチを利用することなくチャネルのアッドまたはドロップすることを意味する。これにより能動素子は電力または可動部を用いて作業を実行するであろう。
【００１２】
光リング２０からドロップされると、ローカルノード１４はドロップされたトラフィックの一部と送信先ノードとを関連付けるヘッダまたはタグに基づきデータを抽出するため、当該トラフィックの光電変換を提供する。ある実施例では、各ローカルノード１４は、受信波長λＲにより送信されたトラフィックをドロップするよう動作可能である。各ローカルノード１４は、λＲで送信されたトラフィックを電気変換し、トラフィックのアドレッシング情報に基づきノード１４宛ての関連するトラフィック部分を抽出する。アドレッシング情報は、ヘッダ、タグまたは他の任意の適切なアドレッシング情報を含むものであってもよい。ある実施例では、各ローカルノード１４は、スイッチ要素（図示せず）を有し、アドレッシング情報に基づき当該トラフィック（またはその一部）を複数のローカルクライアントの１つに転送するようにしてもよい。一実施例では、スイッチ要素は、レイヤ２（Ｌ２）スイッチから構成される。各ローカルノード１４にはまた、他のローカルノード１４に割り当てられるサブバンドとは異なる光ネットワーク１０にトラフィックをアッドするためのサブバンド（またはサブバンドの一部）が割り当てられるようにしてもよい。ここで用いられる「サブバンド」は、ネットワークのいくつかのチャネルの一部から構成されるネットワークの帯域幅の一部を意味する。一実施例では、ネットワークの帯域幅全体は等しい帯域幅のサブバンド、あるいは異なる帯域幅のサブバンドに分割されてもよい。一実施例では、ローカルノード１４に割当てられるサブバンドは、その他のローカルノード１４に割当てられる波長とは異なる単一の波長である。例えば、ローカルノード１４Ａには波長λ１が割当てられ、ローカルノード１４Ａは波長λ１で送信されたトラフィックをリング２０にアッドする。同様に、ローカルノード１４Ｂと１４Ｃには、リング２０にトラフィックをアッドするため、それぞれ波長λ２とλ３が割当てられてもよい。さらに、送信波長λ１、λ２及びλ３は、受信波長λＲと異なるものであってもよい。従ってこの場合、ネットワーク１０のチャネル間の干渉は、割当てられた波長においてトラフィックをアッドし、受信波長においてトラフィックをドロップすることにより実質的に低減される。他の実施例では、各ローカルノード１４には、ローカルトラフィックをアッドするべき２以上の波長を含む異なるサブバンドが割当てられる。従って、ネットワーク１０のチャネル間の干渉は、それのサブバンドにトラフィックをアッドし、受信波長におけるトラフィックをドロップすることにより実質的に解消される。後述されるように、追加的なコンポーネントが追加的な受信波長を受信するためローカルノード１４に設けられてもよい。さらなる他の実施例では、少なくとも１つのローカルノード１４は、１以上の他のノード１４により使用される他の受信波長とは異なる第２の受信波長においてトラフィックを受信するよう動作可能である。
【００１３】
データセンターノード１２は、サービス要求を含む光信号をローカルノード１４から受信し、当該サービス要求への応答を含む光信号を受信波長によりローカルノード１４に送信する。ここで用いられる「光信号」とは、ネットワーク１０においてトラフィックを搬送するチャネルを含む。ここで用いられる「トラフィック」とは、以下においてより詳細に説明されるようなサービスへの任意のリクエストを含むネットワークにおいて送信、格納またはソートされた情報を意味する。データは、音声、映像、テキスト、リアルタイム、非リアルタイム及び／または他の適切なデータを含みうるトラフィックの１つのタイプである。一実施例では、データセンターノード１２は、デマルチプレクサ３０、複数の受信機３２、データセンター４０、送信機２８及びマルチプレクサ２２から構成される。デマルチプレクサ３０は、光リング２０を介し送信されたＷＤＭまたは他のマルチチャネル光信号を構成チャネルに逆多重化し、各光信号２４を光受信機３２に送信する。各光受信機３２は、対応するトラフィックから符号化されたデータを電気的に復元する。その後、このデータはデータセンター４０に転送される。データセンター４０は、当該データを受信し、それの送信先ノード１４に基づきデータをソートし、受信波長λＲによりトラフィックをローカルノード１４に送信するためソートされたデータを送信機２８にわたす。ここで用いられる「送信先ノード」とは、リング上の送信されるデータの宛先となるノードである。光送信機２８は、受信波長λＲにおいて光信号２５を生成する。光信号２５は、音声、映像、テキスト、リアルタイム、非リアルタイム、あるいは他の適切なデータを符号化するのに変調された少なくとも１つの特性を有する光信号から構成される。
【００１４】
ある実施例では、データセンターノード１２は、複数の送信機２８（図示せず）から構成され、データセンターノード１２により送信されるトラフィックのレベルが閾値（例えば、毎秒１０ギガビット（Ｇｂ／ｓ）など）を超えると、２以上の受信波長においてトラフィックを送信する。例えば、受信波長間のチャネルは、Ｃバンドにおいて１００ギガヘルツ（ＧＨｚ）であってもよい。このような実施例では、ローカルノード１４の異なる部分には異なる受信波長が割当てられるようにしてもよい。例えば、データセンターノード１２は、第１受信波長λＲ１によるローカルノード１４Ａ宛てのトラフィックと、第２受信波長λＲ２によるローカルノード１４Ｂ及び１４Ｃ宛てのトラフィックを送信するようにしてもよい。ある実施例では、チャネル間隔は隣接信号間のクロストークを回避または最小化するよう選択されてもよい。２以上の送信機２８が２以上の受信波長において送信を行う場合、光リング２０を介した送信のため、光情報信号２５はマルチプレクサ２２により単一の光信号に多重化される。
【００１５】
図示された実施例では、データセンター４０は、インラインスイッチ３６、トラフィックバッファ４２、コントローラ４４及びサービスモジュール３８を有する、スイッチ３６は、トラフィックバッファ４２、コントローラ４４及びサービスモジュール３８に接続される。図示されてはいないが、一実施例では、データセンター４０は、データセンターノード１２を介しネットワーク１０に接続されたインターネットプロトコル（ＩＰ）ネットワークとトラフィックをやりとりするためのレイヤ３（Ｌ３）スイッチから構成される。スイッチ３６は、受信機３２から受信したトラフィックをトラフィックバッファ４２にわたし、トラフィックバッファ４２に格納されているトラフィックを送信機２８に転送する。スイッチ３６は、イーサネット（登録商標）スイッチ、ＩＰスイッチ、ファイバチャネル（ＦＣ）スイッチ、ルータ、あるいはトラフィックを選択的に誘導する他の適切な装置などのレイヤ２スイッチから構成されてもよい。トラフィックバッファ４２は、ネットワーク間またはネットワーク内トラフィックを格納するよう動作可能なメモリである。トラフィックバッファ４２は、単一または複数の記憶装置から構成されてもよい。記憶装置は、ハードディスクドライブ、ランダムアクセスメモリ、不揮発性メモリ、及び他の任意の適切なメモリあるいはそれらの組み合わせを含むようにしてもよい。
【００１６】
コントローラ４４は、トラフィックバッファ４２とサービスモジュール３８へのアクセスを制御し、メディアに格納されている論理から構成されてもよい。当該論理は、プログラムされたタスクを実行するための機能的命令を有する。当該メディアは、コンピュータディスク、メモリ、他の適切なコンピュータ可読媒体、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、ＤＳＰ（Ｄｉｇｉｔａｌ  Ｓｉｇｎａｌ  Ｐｒｏｃｅｓｓｏｒ）、他の適切な特定用途または汎用プロセッサ、送信メディア、あるいは論理が符号化及び利用される他の適切なメディアから構成される。一実施例では、コントローラ４４はサーバから構成される。コントローラ４４は、ネットワーク間及びネットワーク内トラフィックの両方のソート処理を容易にするため、コマンド信号を電気スイッチ３６に送信するよう動作可能である。
【００１７】
一実施例では、トラフィックバッファ４２は、各ローカルノード１４に関連付けされたバッファアドレスを有する。この場合、従来の「ライトイン（ｗｒｉｔｅ  ｉｎ）」及び「リードアウト（ｒｅａｄ  ｏｕｔ）」コマンドを用いて、ローカルノード１４宛てのトラフィックを当該ローカルノード１４に関連付けされたバッファアドレスに格納するようにしてもよい。この結果、スイッチ３６に送信されたコマンド信号は、送信先ノードに関連付けされたバッファアドレスを含むかもしれない。コマンド信号の受信後、スイッチ３６は、当該データをトラフィックバッファ４２の対応するバッファアドレスに送る。コントローラ４４のスケジューラは、対応するバッファアドレスに関連付けされたキューからのデータをスケジューリングする。一実施例では、このキューはＦＩＦＯ（Ｆｉｒｓｔ−Ｉｎ  Ｆｉｒｓｔ−Ｏｕｔ）キューである。トラフィックはソートされてもよいということは理解されるであろう。スイッチ３６は、バッファアドレスに格納されたトラフィックを送信機２８に転送する。上述のように、送信機２８は、各ローカルノード１４が光ネットワーク１０から受信波長をドロップするよう動作可能となるように、受信波長において光信号２５を符号化する。
【００１８】
サービスモジュール３８は、ノードからのサービス要求への応答を処理及び生成するよう動作可能である。ここで、当該ノードは、イントラまたはインターネットワークノード、すなわち、ネットワーク１０の内部または外部のノードであってもよい。サービスには、データの提供、ソート処理または処理、あるいはネットワークシステムの他のサービスの提供が含まれてもよいということは理解されるであろう。サービスモジュール３８は、ハードウェア（マイクチップなど）、ファームウェア及び／またはソフトウェアとして実現されてもよい。ローカルノード１４は、デマルチプレクサ３０により受信され、受信機３２により電気的に復元されたサービス要求を割当てられた波長においてデータセンターノード１２に送信する。光信号２４から復元が行われると、当該要求はスイッチ３６にわたされる。スイッチ３６は、当該要求をサービスモジュール３８に転送する。この要求は、サービスモジュール３８に直接転送されてもよいし、あるいはサービスモジュール３８への転送前にサービスモジュール３８に関連付けされたバッファ４２のアドレスに転送されてもよい。サービスモジュール３８は、この要求を処理し、応答を生成する。一実施例では、映像に対する要求への応答は、オーディオビジュアルコンテンツを含むファイルを有する。他の実施例では、データ格納に対する要求は、データを受信したことのアクノリッジメントを含む。さらなる他の実施例では、この応答は、サービスモジュール３８により処理された応答を含む。スイッチ３６は、サービスモジュール３８により生成された応答を受信し、それを送信先ノードに関連付けされたトラフィックバッファ４２のアドレスにわたす。スイッチ３６は、バッファアドレスに格納されている他のトラフィックと共にこの応答を当該バッファアドレス、従って、送信先ノードに関連付けされた送信機２８に転送する。送信機２８は、受信波長λＲの光情報信号２５として応答（及び同一または異なるノード１４への潜在的には他の応答）を符号化する。
【００１９】
図２Ａは、図１の光ネットワーク１０の一実施例である。データセンターノード１２は、λ１により送信される光トラフィック５４、λ２により送信される光トラフィック５６及びλ３により送信される光トラフィック５８をそれぞれノード１４Ａ、１４Ｂ及び１４Ｃから受信する。データセンターノード１２は、トラフィック５４、５６及び５８を受信し、送信先ノードによる光トラフィック５４、５６及び５８への応答とトラフィックをソート処理する。送信先ノードは、アドレッシング情報４６により示される。データセンターノード１２は、必要に応じて、応答を生成し、送信先ノードによる応答を含むデータをソート処理し、受信波長λＲによるトラフィックを送信するため、ソートされたデータを送信機２８にわたす。送信機２８は、波長λＲによる応答を含むデータを有する光信号を符号化する。ここでは、各ローカルノード１４は波長λＲにおける信号をドロップするよう動作可能である。干渉を制御するため、受信波長λＲは、送信波長λ１、λ２及びλ３と異なるものとされる。図示された実施例では、ローカルノード１４Ａ、１４Ｂ及び１４Ｃの各々は、光信号５０をドロップ信号５０Ａと通過信号５０Ｂに受動的に分けるよう構成される。従来の光電変換が、ローカルノード１４宛ての応答を含む任意のデータを抽出するため、ドロップされた信号に対し実行されてもよい。抽出されると、切り替え要素（図示せず）は、関連するアドレッシング情報に基づき、データ及び応答を適切なローカルクライアントに転送するようにしてもよい。
【００２０】
例えば、ノード１４Ａは、波長λ１により送信される光トラフィック５４をリング２０にアッドする。光トラフィック５４は、アドレッシング情報４６により示されるような送信先ノードがノード１４Ｂおと１４Ｃをそれぞれ有する２つのデータブロックを含む。データセンターノード１２は、光トラフィック５４を受信及び復号し、各データブロックに対する送信先ノードアドレッシング情報とデータを復元する。データセンターノード１２は、対応する送信先ノードに関連するバッファアドレスのトラフィックをソート処理することにより、送信先ノードによるデータをソート処理する。ノード１４Ｂはまた、波長λ２により送信される光トラフィック５６をリング２０にアッドする。光トラフィック５６は、アドレッシング情報４６に示されるような送信先ノード１４Ｃ、１４Ａ及び１４Ｃを有する要求（例えば、ビデオオンデマンドサービス要求など）と２つのデータブロックを含む。データセンターノード１２は、光トラフィック５６を受信及び復号し、当該データ及び要求と、アドレッシング情報４６により示されるような当該データ及び要求のための送信先ノードを復元する。データセンターノード１２は、上述のように、光トラフィック５６において符号化された要求を処理し、応答を生成する。データセンターノード１２は、対応する送信先ノードに関連するバッファアドレスのトラフィックをソート処理することにより、送信先ノードによるデータをソート処理する。図示された実施例では、ノード１４Ｃはまた、波長λ３により送信される光信号５８をリング２０にアッドする。光信号５８は、アドレッシング情報４６により示されるような送信先がノード１４Ａである１つのデータブロックを含む。データセンターノード１２は、光信号５８を受信及び復号し、送信先ノードアドレッシング情報４６を含むデータを復元する。データセンターノード１２は、対応する送信先ノードに関連するバッファアドレスのトラフィックをソート処理することにより送信先ノードによるデータをソート処理する。格納されているデータは、コントローラ４４からのコマンド信号に応答して、送信機２８に転送される。
【００２１】
図１に示されるように、動作の一特徴では、コントローラ４４はバッファ４２を介しネットワーク１０のトラフィックのソート処理及び送信を制御する。コントローラ４４は、送信先ノードに関連するバッファアドレスを含むコマンド信号をスイッチ３６に送信する。このコマンド信号は、バッファアドレスが容量に接近することに応答して、あるいは他の何れかの適切な基準に基づき、定期的に送信されるようにしてもよい。コマンド信号の受信後、スイッチ３６は、図２Ｂに表されるように、当該データをトラフィックバッファ４２の対応するバッファアドレスにわたす。図２Ｂは、図示された実施例によるトラフィックバッファ４２を図解的に示す。各バッファアドレスは、送信先ノードに関連付けされている。図示されたバッファは、送信先ノード１４Ａにノード１４Ｂと１４Ｃからの２つのデータブロックが送信されるということを示している。本実施例では、図示されたバッファはまた、送信先ノード１４Ｂにノード１４Ａからの１つのデータブロックが送信されるということを示すものである。本実施例では、図示されたバッファはまた、ノード１４Ａと１４Ｂの各々からの２つのデータブロックと、サービスモジュール３８からの応答が送信されることを示している。各データブロックは、各自のデータブロックの送信先ノードを特定するアドレッシング情報に関連付けされるであろう。一実施例では、バッファ４２は、例えば、関連するアドレスが容量に達することに応答して、トラフィックを送信機２８に自動的に転送する。各ブロックがアドレッシング情報４６によりラベル付けされると、データ及びアドレッシング情報４６は、受信波長λＲにより送信される。上述のように、ノード１４Ａ、１４Ｂ及び１４Ｃは、受信波長λＲによりトラフィックを受信するよう構成される。
【００２２】
受信波長λＲにより送信されたダウンストリームトラフィックの増加が帯域幅閾値を超えることに応答して、データセンターノード１２は、当該ダウンストリームトラフィックの少なくとも一部を第２受信波長λＲ２により送信するようにしてもよい。帯域幅閾値は、それを超えると、第１波長により送信されたトラフィックが第２波長に転送され、第１波長の帯域幅を動作閾値未満にする値である。帯域幅閾値は、例えば、受信波長の最大容量などの何れか適当な特徴に基づき選択されてもよい。この動作閾値は、ネットワーク１０の通常の状態の下で機能する容量を表すものであってもよい。例えば、閾値帯域幅は１０Ｇｂ／ｓであり、動作閾値は５Ｇｂ／ｓであってもよい。データセンター１２は、帯域幅閾値以下のλＲで送信されたトラフィックの帯域幅を低減するため、λＲ２により送信するトラフィックを決定する。１以上のローカルノード１４宛てのトラフィックは、λＲ２によりトラフィックを送信する第２送信機に転送されてもよい。第２受信波長によりトラフィックを送信することは、後述されるように、データセンターノード１２に第２送信機２８を、第２受信波長を受信するため１以上のローカルノードに光コンポーネントを設けることを必要とするかもしれない。ダウンストリームトラフィックが増加し続けるのに従って、追加的な受信波長がネットワーク１０にアッドされてもよく、この場合、ローカルノード１４の追加的送信機２８と光コンポーネントが必要とされるかもしれない（図３及び４を参照せよ）。
【００２３】
図３は、アッド／ドロップノード１４の一実施例を示す。図示されたノード１４では、トラフィックはファイバ２０と２１から受動的にドロップされる。図１には図示されていないが、ファイバ２１をネットワーク１０にアッドすることは、プロテクションの切り替えを提供するかもしれない。ファイバ２１がネットワーク１０に含まれていない場合、図３及び４に示されるアッド／ドロップノード１４の以下の実施例には、ファイバ２１に関連するコンポーネントに含まれない。図示された実施例は、カプラと受信要素６６を用いてノード１４に割当てられた波長を抽出し、データセグメントを関連するクライアントに転送する。後述されるように、ローカルトラフィックが、ファイバ２０及び２１にトラフィックをアッドするため、ノード１４に割当てられたサブバンドのファイバ２０及び２１にアッドされてもよい。
【００２４】
図３を参照するに、ノード１４は、第１または反時計回りのトランスポート要素６２、あるいは第２または時計回りのトランスポート要素６４から構成される。図示された実施例では、ノード１４は、送信要素６８と受信要素６６とから構成される。あるいは、送信要素６８と受信要素６６は、ノード１４から分離されていてもよい。トランスポート要素６２と６４は、ファイバ２０と２１に対してトラフィックをアッド及びドロップし、以前に送信されたトラフィックをドロップし、及び／またはノード１４とファイバ２０及び２１との他のやりとりを提供する。送信要素６８は、トランスポート要素６２と６４によりファイバ２０及び２１にアッドされるためのローカルアッド信号を生成する。受信要素６６は、トランスポート要素６２と６４によりファイバ２０及び２１からドロップされたローカルドロップ信号を受信する。ある実施例では、トランスポート要素、送信要素及び受信要素６２、６４、６８及び６６の各々は、個別のカードとして実現され、ノード１４のカード取付部のバックプレーンを介し相互接続されてもよい。あるいは、１以上の要素６２、６４、６６及び６８の機能は、複数の個別カードに分散されてもよい。このように、ノード１４は、モジュラー形式のアップグレード可能なものとされ、「成長に合わせた段階的な投資（ｐａｙ−ａｓ−ｙｏｕ−ｇｒｏｗ）」によるアーキテクチャを提供する。ノード１４のコンポーネントは、直接、間接または他の適切な接続あるいは関連付けにより接続されてもよい。図示された実施例では、要素６２、６４、６６及び６８と、これら要素内の装置が、光ファイバ接続により接続されるが、他の実施例は部分的または平面光導波回路及び／またはＦＳＯ（Ｆｒｅｅ  Ｓｐａｃｅ  Ｏｐｔｉｃｓ）により実現されてもよい。
【００２５】
一実施例では、トランスポート要素６２と６４の各々は、アンプ７０、ドロップカプラ７２及びアッドフィルタ７４から構成される。アンプ７０は、光信号を増幅する。ドロップカプラ７２は、光信号をドロップ信号とパススルー信号に分割するよう動作可能であり、ここで２つの信号は実質的に同一となる。さらに、トランスポート要素６２と６４の各々は、割当てられたサブバンドで信号を終了し、送信要素４８で生成された割当てられたサブバンドとパススルー信号の両方を合成するよう動作可能なアッドフィルタ７４から構成される。アッドフィルタ７４は、薄膜、固定フィルタ、チューナブルフィルタ、あるいは他の適切なフィルタから構成されてもよく、各フィルタ７４は、単一のフィルタまたは直列や並列に接続された複数のフィルタから構成されてもよい。
【００２６】
ドロップカプラ７２の各々は、光信号の合成及び／または分割を行うよう動作可能な光ファイバカプラまたは他の光スプリッタから構成されてもよい。ここで用いられる光スプリッタまたは光カプラとは、２以上の光信号に基づき光信号の合成または生成し、及び／または光信号を当該光信号に基づきいくつかの個別の光信号または受動的な個別の光信号に分割するよう動作可能な任意の装置である。これら個別の信号は、周波数、形式及び／またはコンテンツに関して同様または同一なものであってもよい。例えば、これらの個別信号は、コンテンツに関して同一であってパワーに関して同一または実質的に同様なものであってもよく、あるいはコンテンツに関して同一であってパワーに関して実質的に異なるものであってもよく、またはコンテンツに関して若干異なるものであってもよい。一実施例では、各カプラ７２は、信号を実質的に異なるパワーを有する２つのコピーに分割するものであってもよい。
【００２７】
アンプ７０は、ＥＤＦＡ（Ｅｒｂｉｕｍ−Ｄｏｐｅｄ  Ｆｉｂｅｒ  Ａｍｐｌｉｆｉｅｒ）あるいは光信号の受信及び増幅が可能な他の適切なアンプであってもよい。時計回りリング２１と反時計回りリング２１の光パワー変動を低減するため、アンプ７０は、広範な入力ダイナミックレンジを有するＡＬＣ（Ａｕｔｏｍａｔｉｃ  Ｌｅｖｅｌ  Ｃｏｎｔｒｏｌ）機能を利用するようにしてもよい。従って、アンプ７０は、ＡＧＣ（Ａｕｔｏｍａｔｉｃ  Ｇａｉｎ  Ｃｏｎｔｒｏｌ）を利用して入力パワー変動に対する利得平坦化を実現すると共に、ＶＯＡ（Ｖａｒｉａｂｌｅ  Ｏｐｔｉｃａｌ  Ａｔｔｅｎｕａｔｏｒ）を利用してＡＬＣ機能を実現するようにしてもよい。
【００２８】
ノード１４の動作中、各トランスポート要素６２及び６４のアンプ７０は、接続されているファイバ２０または２１から信号を受け取り、当該信号を増幅する。この増幅された信号は、ドロップカプラ７２に転送される。ドロップカプラ７２は、信号をパススルー信号とドロップ信号に分割する。ドロップ信号は、ノード１４に割当てられた波長の少なくとも一部を有する。パススルー信号は、アッドフィルタ７４に転送される。ローカルドロップ信号は、ドロップカプラ７２から入力信号を受信機８６に選択的にわたす受信要素６６に転送される。アッドフィルタ７４は、送信要素６８により生成された信号とパススルー信号とを合成する。
【００２９】
図示された実施例では、受信要素は、２つの１×ｎカプラ７６、複数のチューナブル（または固定）フィルタ８０、複数のセレクタ８２、複数の２×１スイッチ８４、受信機８６及びスイッチ要素８８を有する。１×ｎカプラ７６は、１つの光ファイバリードと、ドロップリードとして機能する複数の光ファイバリードとから構成される。ドロップリード７８は、選択された波長をパスし、他の波長を拒絶するよう動作可能な複数のチューナブルフィルタ８０に接続されてもよい。図示された実施例では、ファイバ２０に関するドロップリード７８Ａとファイバ２１に関するドロップリード７８Ｂはそれぞれ、チューナブルフィルタ８０Ａと８０Ｂに接続される。ダウンストリームトラフィックが帯域幅閾値を超えると、データセンターノード１２は、第２波長によりダウンストリームトラフィックの少なくとも一部を送信する。この場合、追加的なチューナブルフィルタ８０が、追加された受信波長を選択的にパスするためカプラ７６に接続されていてもよい。８０Ａ及び８０Ｂから選択された波長は、リング２０からの関連するドロップ信号またはリング２１からの関連するドロップ信号と受信機８６の選択的な接続を可能にするスイッチ８４とセレクタ８２にわたされる。このような選択的なスイッチングが、ＯＵＰＳＲ（Ｏｐｔｉｃａｌ  Ｕｎｉｄｉｒｅｃｔｉｏｎａｌ  Ｐａｔｈ−Ｓｗｉｔｃｈｅｄ  Ｒｉｎｇ）プロテクションスイッチングを実現するのに利用されてもよい。ある実施例では、セレクタ８２は、より小さなビットエラーレート（ＢＥＲ）を有するファイバ２０または２１からローカルクライアントトラフィックに転送するよう初期的に構成される。閾値の値は、ＢＥＲが当該閾値を超えない限り、スイッチがそれの初期状態に留まるように確定される。他の閾値または範囲がパワーレベルに対して確定されてもよい。例えば、ＢＥＲがＢＥＲ閾値を超える場合、あるいはパワーが好ましいパワー範囲の範囲外にある場合、スイッチは他の信号を選択する。スイッチングのコマンドは、接続９０を介し送信されるかもしれない。これにより、スイッチングのローカル制御と、シンプルかつ迅速なプロテクションが実現される。受信機８６において信号の光電変換が実行された後、スイッチ要素８８は、関連するアドレッシング情報に基づきデータセグメントを適切なローカルクライアントに転送する。スイッチ要素８８は、例えば、Ｌ２スイッチ、Ｌ３スイッチあるいは他の任意の適切なスイッチなどの任意の適切なスイッチから構成されてもよい。
【００３０】
図示された実施例では、送信要素６８は、２×ｎカプラ９２と、ノード１４に割当てられた波長群により送信が行われる１以上のチューナブル送信機９４とから構成される。２×ｎカプラ９２は、アッドリードとして機能する複数のリードから構成され、１以上のチューナブル（または固定波長）送信機９４に接続されてもよい。チューナブル送信機９４は、選択された波長によりアッド信号を送信し、これにより、ノード１４へのフレキシブルな波長の割当てを提供するよう動作可能となる。カプラ９２は、アッド信号を実質的に類似した２つの信号に分割する。このとき、１つの信号はファイバ２０にアッドされ、他方はファイバ２１にアッドされる。アッド信号は、上述のように、関連するファイバ２０または２１への追加のため、アッドフィルタ７４に転送される。アッドフィルタ７４は、割当てられたサブバンドにより送信された信号を拒絶し、送信要素６８により割当てられたサブバンドにより送信されたアッド信号とパススルー信号とを合成する。
【００３１】
図示された実施例では、同一または実質的に同一な信号が、ファイバ２０と２１の両方を介し通信される。従って、ある受信機群８６がファイバ２０または２１から信号を受信するのに使用され（スイッチ８４とセレクタ８２の位置に応じて、一方または他方が受信される）、同一の送信機群９４が同一信号をファイバ２０と２１の両方に送信するのに利用されてもよい。このような構成は、ＯＵＰＳＲプロテクションを提供するときに適切である。しかしながら、他の実施例では、ノード１４はファイバ２０と２１の各々に関する独立した受信機群９４と送信機群９４とを有するようにしてもよい。この場合、スイッチ８４とセレクタ８２は不要である。代わりに、各ファイバ２０または２１に関連するドロップ信号が、各リングに関する受信機群８６に接続される。従って、異なる信号がファイバ２０と２１から受信されるようにしてもよい。
【００３２】
同様にして、カプラ９２を用いて送信機群９４からの信号を分割し、当該信号をファイバ２０と２１の両方に提供する代わりに、異なる信号がファイバ２０に関連付けされた送信機群９４とファイバ２１に関連付けされた送信機群９４により生成されてもよい。従って、異なる信号が各ファイバ２０と２１を介し通信されてもよい。例えば、第１の信号をノード１４においてファイバ２０上のあるチャネルにアッドすることが可能であり、全く異なる信号を同一のノード１４によりファイバ２１上の同一のチャネルにアッドすることが可能である。
【００３３】
図４は、アッド／ドロップノード１４の一実施例を示す。図示されたノード１４では、トラフィックはファイバ２０と２１から受動的にドロップされる。特に、図示された実施例では、カプラ７２と受信要素６６を用いてノード１４に割当てられた波長が抽出される。後述するように、ローカルトラフィックがファイバ２０及び２１にアッドされてもよい。
【００３４】
図４を参照するに、ノード１４は、第１あるいは反時計回りのトランスポート要素６２と、第２あるいは時計回りのトランスポート要素６４から構成される。ノード１４は、送信要素６８と受信要素６６を有するようにしてもよい。図示された実施例では、送信要素６８と受信要素６６は、ノード１４から独立なものとされている。トランスポート要素６２と６４は、ファイバ２０及び２１に対しトラフィックをアッド及びドロップしたり、以前に送信されたトラフィックをドロップしたり、ノード１４とファイバ２０及び２１との他のやりとりを提供したりする。送信要素６８は、トランスポート要素６２と６４によりファイバ２０及び２１にアッドされるべきローカルアッド信号を生成する。受信要素６６は、トランスポート要素６２及び６４によりファイバ２０及び２１からドロップされたローカルドロップ信号を受信する。ある実施例では、トランスポート要素、送信要素及び受信要素６２、６４、６８及び６６の各々は、個別カードとして実現され、ノード１４のカード取付部のバックプレーンを介し相互接続されてもよい。あるいは、１以上の要素６２、６４、６８及び６６の機能が、複数の個別カードに分散されるようにしてもよい。このように、ノード１４は、モジュラー形式のアップグレード可能なものとされ、「成長に合わせた段階的な投資（ｐａｙ−ａｓ−ｙｏｕ−ｇｒｏｗ）」によるアーキテクチャを提供する。ノード１４のコンポーネントは、直接、間接または他の適切な接続あるいは関連付けにより接続されてもよい。図示された実施例では、要素６２、６４、６６及び６８と、これら要素内の装置が、光ファイバ接続により接続されるが、他の実施例は部分的または平面光導波回路及び／またはＦＳＯ（Ｆｒｅｅ  Ｓｐａｃｅ  Ｏｐｔｉｃｓ）により実現されてもよい。
【００３５】
一実施例では、トランスポート要素６２と６４の各々は、アンプ７０、ドロップカプラ７２及びアッドカプラ９６から構成される。アンプ７０は、光信号を増幅する。ドロップカプラ７２は、光信号を実質的に同一であるドロップ信号とパススルー信号に分割するよう動作可能である。さらに、トランスポート要素６２と６４の各々は、送信要素６８により生成される信号とパススルー信号をアッド／合成するよう動作可能なアッドカプラ９６を有する。
【００３６】
アッドカプラ９６は、光信号を合成及び／または分割するよう動作可能な光ファイバカプラまたは他の光スプリッタを有するようにしてもよい。ここで用いられる「光スプリッタ」あるいは「光カプラ」は、２以上の光信号に基づいて光信号を合成または生成し、あるいは光信号をこれに基づきいくつかの個別の光信号あるいは受動的な個別の光信号に分割するよう動作可能な任意の装置である。これら個別信号は、周波数、形式及び／またはコンテンツに関して類似または同一なものであってもよい。例えば、個別信号は、コンテンツに関して同一でパワーに関して同一または実質的に類似したものであってもよいし、あるいはコンテンツに関して同一でパワーに関して実質的に異なるものであってもよいし、あるいはコンテンツに関して若干異なるものであってもよい。一実施例では、各カプラ７２は、信号を実質的に異なるパワーを有する２つのコピーに分割するものであってもよい。
【００３７】
アンプ７０は、ＥＤＦＡまたは光信号の受信及び増幅が可能な他の適切なアンプであってもよい。時計回りリング２１と反時計回りリング２０の光パワー変動を減少させるため、アンプ７０は、広範な入力ダイナミックレンジを有するＡＬＣ機能を利用するようにしてもよい。従って、アンプ７０は、ＡＧＣを用いて入力パワー変動に対する利得平坦化を実現すると共に、ＶＯＡを用いてＡＬＣ機能を実現するようにしてもよい。
【００３８】
ノード１４の動作中、各トランスポート要素６２と６４のアンプ７０は、接続されているファイバ２０または２１から信号を受信し、当該信号を増幅する。増幅された信号は、ドロップカプラ７２に転送される。ドロップカプラ７２は、当該信号をパススルー信号とドロップ信号に分割する。ドロップ信号には、ノード１４に割当てられた波長群の少なくとも一部が含まれる。パススルー信号は、アッドカプラ９６に転送される。ローカルドロップ信号は、ドロップカプラ７２から入力信号を受信機８６に選択的にわたす受信要素６６に転送される。アッドカプラ９６は、パススルー信号と送信要素６８により生成された信号とを合成する。
【００３９】
図示された実施例では、受信要素は、２つの１×ｎカプラ７６、複数のチューナブル（または固定）フィルタ８０、複数のセレクタ８２、複数の２×１スイッチ８４及び受信機８６を有する。１×ｎカプラ７６は、１つの光ファイバリードと、ドロップリード７８として機能する複数の光ファイバリードとから構成されてもよい。ドロップリード７８は、選択された波長をパスし、他の波長を拒絶するよう動作可能な複数のチューナブルフィルタ８０に接続されてもよい。図示された実施例では、ファイバ２０に関連するドロップリード７８Ａとファイバ２１に関連するドロップリード７８Ｂがそれぞれ、チューナブルフィルタ８０Ａと８０Ｂに接続される。ダウンストリームトラフィックが帯域幅閾値を超えると、データセンターノード１２は、第２波長によりダウンストリームトラフィックの少なくとも一部を送信する。この場合、追加的なチューナブルフィルタ８０が、アッドされた受信波長を選択的にパスするようドロップリード７８に接続されてもよい。８０Ａ及び８０Ｂから選択された波長は、リング２０からの関連するドロップ信号またはリング２１からの関連するドロップ信号と受信機８６の選択的接続を可能にするスイッチ８４とセレクタ８２にわたされる。このような選択的スイッチングは、ＯＵＰＳＲプロテクションスイッチングを実現するのに利用されてもよい。ある実施例では、セレクタ８２はより低いＢＥＲを有するファイバ２０または２１からローカルクライアントに転送するよう初期的に構成される。閾値の値は、ＢＥＲが当該閾値を超えない限り、スイッチがそれの初期状態に留まるよう確定される。他の閾値または範囲が、パワーレベルに対し確定されてもよい。例えば、ＢＥＲがＢＥＲ閾値を超える場合、あるいはパワーが好ましいパワー範囲の範囲外にある場合、スイッチは他方の信号を選択する。スイッチングのコマンドは、接続９０を介し送信されてもよい。これにより、スイッチングのローカル制御と、シンプルかつ迅速なプロテクションが実現される。受信機８６における信号の光電変換の後に、スイッチ要素８８は、関連するアドレッシング情報に基づきデータセグメントを適切なローカルクライアントに転送する。上述のように、スイッチ要素は、例えば、Ｌ２スイッチ、Ｌ３スイッチあるいは他の何れか適切なスイッチなどの任意の適切なスイッチから構成されてもよい。
【００４０】
図示された実施例では、送信要素６８は、２×ｎカプラ９２と、ノード１４に割当てられた波長群により送信する複数のチューナブル（または固定波長）送信機９４とから構成される。２×ｎカプラ９２は、アッドリードとして機能する複数のリードから構成され、複数のチューナブル送信機９４に接続されてもよい。チューナブル送信機９４は、選択された波長によりアッド信号を送信し、これにより、ノード１４への波長のフレキシブルな割当てを提供するよう動作可能である。カプラ９２は、当該アッド信号を実質的に類似した２つの信号に分割する。ここで、１つの信号はファイバ２０にアッドされ、他方の信号はファイバ２１にアッドされる。これらアッド信号は、上述のように、関連するファイバ２０または２１への追加のため、アッドカプラ９６に転送される。アッドカプラ９６は、割当てられた波長の１つにより送信されたアッド信号を受信し、当該アッド信号とパススルー信号とを合成する。
【００４１】
図示された実施例では、同一または実質的に同一の信号が、ファイバ２０と２１の両方を介し通信される。従って、ある受信機群８６がファイバ２０または２１から信号を受信するのに利用され（スイッチ８４とセレクタ８２の位置に応じて、一方または他方が受信される）、同一の送信機群９４がファイバ２０と２１の両方に同一の信号を送信するのに利用されてもよい。このような構成は、ＯＵＰＳＲプロテクションを提供するときに適切である。しかしながら、他の実施例では、ノード１４はファイバ２０と２１の各々に関連する独立した受信機群８６と送信機群９４とを有するようにしてもよい。この場合、スイッチ８４とセレクタ８２は不要となる。代わりに、各ファイバ２０または２１に関連するドロップ信号が、各リングに関連する受信機群８６に接続される。従って、異なる信号がファイバ２０及び２１から受信されるようにしてもよい。
【００４２】
同様にして、カプラ９２を用いて送信機群９４からの信号を分割し、当該信号をファイバ２０と２１の両方に提供する代わりに、ファイバ２０及び２１に関連する送信機群９４により異なる信号が生成されるようにしてもよい。従って、異なる信号が各ファイバ２０及び２１を介し通信されてもよい。例えば、第１の信号がノード１４のファイバ２０のあるチャネルにアッドされ、全く異なる信号が同一のノード１４によりファイバ２１上の同一チャネルにアッドすることが可能である。
【００４３】
図５は、追加的な受信波長によりネットワーク１０をアップグレードすることを容易にするため、ＯＳＣ（Ｏｐｔｉｃａｌ  Ｓｕｐｅｒｖｉｓｏｒｙ  Ｃｈａｎｎｅｌ）を含む図１に示される光ネットワーク１０の一実施例である。本実施例では、ＯＳＣ信号が「動作中の」トラフィックと異なる外部バンドにおいて送信される。ＯＳＣは、規格化されたＯＳＣであってもよいし、あるいはネットワーク上の各ノードにおける光電光変換によりトラフィックが搬送されるチャネルであってもよい。ＯＳＣは、ＳＯＮＥＴ（ＯＣ−１９２など）、イーサネット（１０ＧｂＥなど）、あるいは他の任意の適切な技術を利用して通信されてもよい。受信波長λＲの帯域幅が帯域幅閾値を超えると、ＯＳＣ信号が受信波長の帯域幅を低減するためトラフィックの一部を一時的に送信するようにしてもよい。この期間中、追加的な光コンポーネントが追加的な受信波長の送信のため、それらの設置後にＯＳＣ信号に含まれる部分が追加的な受信波長により送信されるように、ネットワーク１０に追加されてもよい。設置中にＯＳＣ信号を利用する結果、ネットワーク１０は、動作を継続することができ、追加的な受信波長へのスムースな移行を提供することができる。ある実施例では、ＯＳＣ信号は１５１０ナノメータ（ｎｍ）により送信される。
【００４４】
図５を参照するに、各ローカルノード１４とデータセンターノード１２は、ＯＳＣ信号１６０の受動的なドロップ及びアッドを行うためのドロップＯＳＣフィルタ１４０とアッドＯＳＣフィルタ１４２から構成される。ドロップＯＳＣフィルタ１４０は、光リング２０からのＯＳＣ波長を拒絶（ドロップ）し、当該光信号の他の波長をパスするよう動作可能である。後述されるように、ドロップＯＳＣフィルタ１４０は、光リング２０から各ノード１２及び１４の管理要素１４４へのＯＳＣ信号１６０をドロップする。アッドＯＳＣフィルタ１４２は、管理要素１４４からＯＳＣ信号１６０を受信し、ＯＳＣ波長を光リング２０にアッドするよう動作可能である。一実施例では、各ＯＳＣフィルタは、固定ファイバブラッググレイティングなどの固定光フィルタから構成され、割当てられた波長におけるトラフィックを拒絶し、残りのトラフィックをパスするよう動作可能である。さらに、各ＯＳＣフィルタは、単一のフィルタまたは直列または並列に接続された複数のフィルタから構成されてもよい。
【００４５】
上述のように、各ローカルノード１４とデータセンターノード１２は、管理要素１４４を有する。各管理要素１４４は、ＯＳＣ受信機１４６、ＯＳＣ送信機１４８及び要素管理システム（ＥＭＳ）１５０から構成されるようにしてもよい。ＯＳＣ受信機１４６とＯＳＣ送信機１４８は、ＥＭＳ１５０に対するＯＳＣ信号を送受信する。ＥＭＳ１５０は、ネットワーク管理システム（ＮＭＳ）１５２に通信可能に接続されるようにしてもよい。従来、ＥＭＳ１５０、ＮＭＳ１５２及び／またはＯＳＣ信号は、ネットワーク及び／またはノード監視、エラー検出、プロテクションスイッチング、ネットワーク１０のループバックまたはローカライズテスティング機能を実行する。図示された実施例では、ＥＭＳ１５０、ＮＭＳ１５２及び／またはＯＳＣ信号は、帯域幅閾値超過に応答して、追加的な受信波長への移行を容易にするための追加的タスクを実行する。ＮＭＳ１５２は、ローカルノード１４及びデータセンターノード１２の内部に設けられるか、これらすべてのノードの外部に設けられるか、あるいはそれ以外に設置されてもよい。一実施例では、フィルタ１４０及び１４２と管理要素１４４と共に、要素内のコンポーネント及びノード内の他のコンポーネントは、光ファイバリンクと相互接続されてもよい。他の実施例では、上記コンポーネントは、部分的または平面光導波回路及び／またはＦＳＯ（Ｆｒｅｅ  Ｓｐａｃｅ  Ｏｐｔｉｃｓ）により実現されてもよい。さらに、ノード１４に関して説明されるように、各ローカルノード１４の各コンポーネントは、ノード１４のカード取付部の内部の１以上の個別カードとして実現されてもよい。
【００４６】
ノード１２のデータセンター４０は、ノード１２の管理要素１４４に接続される。図示されてはいないが、データセンター４０は、管理要素１４４を有するようにしてもよい。上述のように、データセンター４０は、データを受信し、送信先ノードによりデータをソート処理し、ローカルノード１４宛てのトラフィックを送信するため、ソートされたデータを適切な送信機にわたす。図示された実施例では、データセンターはさらに、管理要素１４４からＯＳＣ信号を介し送信されたトラフィックを受信し、ローカルノード１４への送信のため、管理要素１４４にトラフィックをわたす。受信波長が帯域幅閾値を超えると、データセンター４０は、ＯＳＣ波長によりダウンストリームトラフィックの少なくとも一部を送信するため、管理要素１４４にトラフィックをわたす。上述のように、ＯＳＣ信号は、ネットワーク１０への追加的受信波長への追加を容易にする。
【００４７】
動作の一特徴では、データセンターノード１２は、上述のように、ノード１４からトラフィックを受信し、送信先によりトラフィックをソート処理し、当該トラフィックをλ４０などの受信波長により送信先ノードに送信する。λ４０により送信されたダウンストリームトラフィックが帯域幅閾値を超えると、ノード１２は、第２の受信波長が必要であると判断し、λ４０の帯域幅を動作閾値以下に低減するため、どのダウンストリームトラフィックを第２受信波長（λ３９など）により送信するか決定する。この動作閾値は、帯域幅閾値より小さいものであってもよい。例えば、λ３９を介し通信されるダウンストリームトラフィックは、最小の関連するダウンストリームトラフィック量を有するノードから始めて（トラフィックの宛先となるノード）、その後次の少ない関連するダウンストリームトラフィック量を有するノードなどに続き、λ４０を介し送信されるダウンストリームトラフィックの合計が動作閾値以下に低下するまで、ノード単位によりλ４０からλ３９までのダウンストリームトラフィックの送信を転送することにより決定されてもよい。他の実施例では、トラフィックは他の適切な方法によりλ４０から転送することが可能である。
【００４８】
一例として、ノード１４Ａが最小量の関連するダウンストリームトラフィックを有し、ノード１４Ｂが次に少ない関連するダウンストリームトラフィックを有し、ノード１４Ｃが最も関連するダウンストリームトラフィックを有すると仮定すると、ノード１２は、第２受信波長λ３９によりローカルノード１４Ａ宛ての送信トラフィックがλ４０の帯域幅を動作閾値以下に低減させると判断するようにしてもよい。本例では、ノード１２は、ローカルノード１４Ａ宛てのトラフィックがＯＳＣ波長λＯＳＣによる送信のため、データセンター４０からデータセンターノード１２の管理要素１４４に転送されるように、データセンター４０にコマンドを通信する。一実施例では、ＯＳＣ信号１６０は、ＯＳＣ機能と追加的受信波長へのトラフィック移行のために確保されている部分とから構成される。ＯＳＣ信号１６０はまた、ノード１２宛てのトラフィックが含まれるように、アップストリームトラフィックのために確保されている帯域幅の他の部分を有するようにしてもよい。
【００４９】
ローカルノード１４Ａ宛てのダウンストリームトラフィックがλＯＳＣにより送信される一方、追加的な送信機２８が第２の受信波長λ３９によるデータ送信に適応するようデータセンターノード１２に設置されてもよい。追加的送信機２８の設置に関して、受信ローカルノード１４に対する適切な設置及び／または調整が行われる。例えば、追加的チューナブルフィルタ８０がドロップダウンリード７８に接続され、追加的なセレクタ８２、２×１スイッチ８４及び受信機８６がまた追加されてもよい。あるいは、既存のチューナブルフィルタ８０がλ３９にチューニングすることも可能である。追加的な送信機２８の設置と、必要に応じて、関連するローカルノードの追加的な受信要素の設置が完了すると、ＥＭＳ１５０はλ３９への移行のため、ＮＭＳ１５２に当該完了を通知する。ノード１２は、λ３９により送信を行う送信機２８に関連するローカルノード１４宛てのトラフィックをルーティングするため、データセンター４０にコマンドを通信する。例えば、データセンター４０は、ローカルノード１４Ｂ及び１４Ｃ宛てのトラフィックをλ４０により送信を行う送信機２８に転送し、ローカルノード１４Ａ宛てのトラフィックをλ３９により送信を行う送信機２８に転送する。
【００５０】
他の動作の特徴では、ローカルノード１４宛てのすべてのトラフィックがデータセンター４０によりソート処理され、λＯＳＣでのＯＳＣ信号の送信におけるダウンストリームトラフィックの送信のため、管理要素１４４に転送される。トラフィックが帯域幅閾値を超えると、ノード１２は、λＯＳＣのトータルトラフィックが動作閾値以下となるように、他の波長（λ４０など）に転送されるべきダウンストリームトラフィックを決定する。例えば、ノード１２は、λＯＳＣによるダウンストリームトラフィックの送信のトータルの帯域幅が毎秒１０ギガビット（１０Ｇｂ／ｓ）の帯域幅閾値を超えたと判断してもよい。λ４０を介し通信されるダウンストリームトラフィックは、最大量の関連するダウンストリームトラフィックを有するノードから始めて、その後に次に大きな量の関連するダウンストリームトラフィックを有するノードなどに続き、λＯＳＣにより送信されるトータルのダウンストリームトラフィックが動作閾値以下（５Ｇｂ／ｓなど）に低減するまで、ノード単位により（トラフィックの宛先ノード）λＯＳＣからλ４０へのダウンストリームトラフィックの送信を転送することにより決定されるかもしれない。他の実施例では、トラフィックはλＯＳＣから任意の適切な方法により転送することが可能である。
【００５１】
一例として、ノード１４Ａが最小量の関連するダウンストリームトラフィックを有し、ノード１４Ｂが次に小さな量の関連するダウンストリームトラフィックを有し、ノード１４Ｃが最も関連するダウンストリームトラフィックを有すると仮定すると、ノード１２は、ローカルノード１４Ｃ宛てのトラフィックをλ４０に転送することにより、λＯＳＣにより送信されたトラフィックを５Ｇｂ／ｓの動作閾値以下に低減することができる判断してもよい。λ４０により送信を行う送信機２８がデータセンターノード１２に設置され、λ４０と関連する受信要素を選択するチューナブルまたは固定フィルタが、λ４０により送信されるトラフィックを受信するため、ローカルノード１４Ｃに設置（または調整）されるようにしてもよい。設置が完了すると、ＥＭＳ１５０は、この完了をＮＭＳ１５２に通知する。ノード１２は、ローカルノード１４Ｃ宛てのすべてのトラフィックをλ４０により送信を行う送信機２８に転送するため、データセンター４０にコマンドを通信する。
【００５２】
さらに、λ４０により送信されたトラフィックが送信機２８に関する帯域幅閾値を超える場合、光ネットワーク１０は、一時的な送信波長としてλＯＳＣを用いてλ４０から波長λ３９への特定のダウンストリームトラフィックの移行のため、上述の移行手順に進むようにしてもよい（送信機はλ３９のためノード１２に設置されるが）。このプロセスは、λＯＳＣからλ３９に移行されるべきすべてのトラフィックを追加することがλＯＳＣに関する帯域幅閾値を超える場合、段階的なλ３９への以降を必要とするかもしれない。例えば、λ４０により送信されるトラフィックがローカルノード１４Ａ、１４Ｂ及び１４Ｃ宛てのトラフィックを含むと仮定すると、ノード１２は、λ３９によるローカルノード１４Ａ及び１４Ｂ宛てのトラフィックを送信することにより、トラフィックが動作閾値以下に低減すると判断する。しかしながら、ローカルノード１４Ａ及び１４Ｂ宛てのトラフィックが、λＯＳＣの帯域幅閾値を超過する場合のλＯＳＣの結果にアッドされる場合、ノード１２は、λＯＳＣによりローカルノード１４Ａ宛てのトラフィックを送信するコマンドを通信するようにしてもよい。ローカルノード１４Ａ宛てのトラフィックがλ３９に移行すると、ノード１２は、ローカルノード１４Ｂ宛てのトラフィックを移行するためのコマンドを通信する。
【００５３】
図６は、レイヤ３機能に対してＯＳＣチャネルを利用する光ネットワーク１０の一実施例を示す。図示された実施例では、光ネットワーク１０は、レイヤ３スイッチ（またはルータ）１６２を介しインターネットプロトコル（ＩＰ）ネットワーク１７０に接続される。各ローカルノード１４のＥＭＳ１５０は、ネットワーク要素またはＬＡＮが接続されるレイヤ２スイッチ８８とスイッチ８８のポートを介し各ローカルノード１４に接続されるネットワーク要素及び／またはＬＡＮを決定する。ＥＭＳ１５０は、この情報をＯＳＣ信号１６０を介しレイヤ２スイッチ８８に送信する。一実施例では、ＥＭＳ１５０は、イーサネットベースのタグを用いて、ネットワーク要素及び／またはＬＡＮを特定し、当該情報をレイヤ２スイッチ８８に送信する。この情報に基づき、レイヤ２スイッチ８８は、ローカルノード１４の各ポートに対するタグ割当てを決定する。動作の一特徴では、レイヤ２スイッチ８８は、１以上のローカルノード１４のローカルクライアント宛てのトラフィックを受信する。この場合、受信したトラフィックに含まれるタグは、入力されたトラフィックをどのポートに送信すべきかローカルノード１４に指示するローカルノード１４のＥＭＳ１５０にＯＳＣ信号１６０を介し送信される。ＥＭＳ１５０は、タグを受信し、レイヤ２スイッチ８８にデータの送信場所を指示する。
【００５４】
図７は、光ネットワークにおいてトラフィックを送信するための方法２００を示す一例となるフロー図である。本方法はステップ２０２から開始され、ローカルノード１４からのトラフィックを含むＷＤＭ信号がデータセンターノード１２において受信される。ステップ２０４において、ＷＤＭ信号はそれの構成チャネルに逆多重化される。ステップ２０６において、受信機３２は、構成チャネルからのリクエストを含むデータを電気的に復元する。次にステップ２０８において、復元されたデータがデータセンター４０に転送される。判定ステップ２１０において、サービスに対するリクエストが復元されたデータに含まれるべきであると判断されると、ステップ２１２において、スイッチ３６は当該リクエストをサービスモジュール３８に転送する。ステップ２１４において、スイッチ３６は、サービスモジュール３８から応答を受信する。次にステップ２１６において、スイッチ３６は、当該データと送信先ノードによる応答をソート処理する。この後、スイッチ３６は、ソート処理されたトラフィックを各送信先ノードに関連するバッファアドレスにわたす。ステップ２２０において、バッファアドレスに格納される各データブロックは、送信先ノードを示すヘッダに関連付けされる。スイッチ３６は、受信波長によりダウンストリームトラフィックをすべてのノード１４に送信するため、ヘッダと関連データを送信機２８に転送する。ステップ２２４において、ノード１２によりダウンストリームトラフィックが帯域幅閾値を超えたと判断されると、光ネットワーク１０は、第２の受信波長によりダウンストリームトラフィックの一部を送信するよう移行する。この移行ステップの２つの実施例が、図８と９に示されている。ステップ２２８において、データセンターノード１２は、第２受信波長によりダウンストリームトラフィックの一部を少なくとも１つのローカルノード１４に送信する（ここで、トラフィックが受信されるたびに、方法が繰り返される）。
【００５５】
図８は、図７に示される移行ステップ２２６の一実施例を示す。本方法はステップ２５０から開始され、ノード１２により第２受信波長により送信すべきダウンストリームトラフィックの部分が決定される（図７のステップ２２４における帯域幅閾値の超過による）。例えば、図５を参照して上述されたように、第２受信波長（λ３９など）を介し通信されるダウンストリームトラフィックは、最小量の関連するダウンストリームトラフィックを有するノードから始まり、その後で次に小さな量のダウンストリームトラフィックを有するノードに続き、λ４０を介し送信されるトータルのダウンストリームトラフィックが動作閾値以下に低減するまで、ノード単位により（トラフィック宛先ノード）第１受信波長（λ４０など）からλ３９までのダウンストリームトラフィックの送信を転送することにより決定されてもよい。他の実施例では、トラフィックは、他の何れか適切な方法によりλ４０から転送することができる。
【００５６】
判定がなされると、ノード１２は、ステップ２５２においてトラフィックの一部が移行期間にＯＳＣ波長（λＯＳＣ）により送信されるように、トラフィックの当該部分を管理要素１４４にルーティングするようデータセンター４０に指示する。次にステップ２５４において、第２受信波長により送信を行う追加的な送信機２８が、λＯＳＣにより現在送信されているダウンストリームトラフィックの一部を送信するため、データセンターノード１２に設置される。さらにステップ２５４において、受信要素が、ダウンストリームトラフィックの一部に関連するローカルノードに設置及び／または調整される。受信要素には、チューナブルフィルタ、固定光フィルタ、コントローラ、スイッチ及び受信機が含まれるようにしてもよい。チューナブルフィルタがローカルノードで利用される場合、異なる波長を（異なる時点で）受信するのに単一のフィルタが利用可能である。例えば、現在利用されていないチューナブルフィルタは、受信機がλ３９に設置またはチューニングされると、λ３９をパスするようチューニングすることができる。当該コンポーネントがステップ２５６において設置されると、ＥＭＳ１５０は、ＮＭＳ１５２に追加されたハードウェアを通知し、この通知に応答して、ノード１２は、ダウンストリームトラフィックの一部を波長λ３９（λＯＳＣの代わりに）により送信する送信機２８にルーティングするようデータセンター４０に指示する。本方法は、新たに追加された送信波長がそれの帯域幅閾値を超えない場合に繰り返すことができる。
【００５７】
図９は、初期的なダウンストリームトラフィックがλＯＳＣにより初期的に送信される移行ステップ２２６の他の実施例を示す。本方法はステップ２６０から開始され、ノード１２は、図７のステップ２２４におけるλＯＳＣの帯域幅閾値の超過により、λＯＳＣから第２受信波長（λ４０など）に転送すべきトラフィックを判断する。例えば、図５を参照して上述されるように、λ４０を介し通信されるダウンストリームトラフィックは、最大量の関連するダウンストリームトラフィックを有するノードから始めて、その後に次に大きな量の関連するダウンストリームトラフィックを有するノードに続き、λＯＳＣを介し送信されるトータルのダウンストリームトラフィックが動作閾値以下に低減するまで、ノード単位により（トラフィック宛先ノード）λＯＳＣからλ４０へのダウンストリームトラフィックの送信を転送することにより決定されてもよい。他の実施例では、トラフィックは、他の何れか適切な方法によりλＯＳＣから転送することができる。
【００５８】
次にステップ２６２において、λ４０により送信を行う追加的な送信機が、データセンターノード１２に設置され、受信要素が関連するローカルノードに設置または調整される。ステップ２６４において、ＥＭＳ１５０はノード１２に追加されたハードウェアを通知し、当該通知に応答して、ノード１２は、λＯＳＣにより送信を行う送信機の代わりに、λ４０により送信を行う送信機２８に関連するトラフィックを転送するようデータセンター４０に指示する。
【００５９】
さらに、図９に明示的には図示されていないが、λ４０により送信されたトラフィックが送信機２８に関する帯域幅閾値を超える場合、光ネットワーク１０は、一時的な送信波長としてλＯＳＣを利用して、λ４０から波長λ３９への特定のダウンストリームトラフィックの移行のため、上述の移行手順に進むようにしてもよい（送信機は、λ３９のためにノード１２に設置されるが）。このプロセスは、λＯＳＣからλ３９に移行されるべきすべてのトラフィックをアッドすることにより、λＯＳＣに関する帯域幅閾値が超過される場合、段階的なλ３９への移行を要するかもしれない。本方法は、新たに追加された送信波長がそれの帯域幅閾値を超えるごとに、繰り返すことが可能である。
【００６０】
方法２００は、図５のネットワーク１０に関して説明されたが、他の任意のシステムにより利用可能である。さらに、ネットワーク１０は、上記タスクを実行するための他の任意の適切な技術を利用するようにしてもよい。従って、フローチャートの各ステップの多くは、同時に、または図示されたものと異なる順序で実行されてもよい。さらに、ネットワーク１０は、本方法が適切さを維持する限り、追加的なステップ、より少ないステップ、及び／または異なるステップを有する方法を利用するようにしてもよい。
【００６１】
本発明が詳細に説明されたが、様々な変更及び改良が当業者には想到されるであろう。本発明は、このような変更及び改良を添付された請求項の範囲内に属するものとして含むものである。
（付記１）
光リングと、
前記光リングに接続され、受信波長によりトラフィックを受信するよう構成される複数のローカルノードと、
前記光リングに接続され、前記ローカルノードからトラフィックを受信し、前記トラフィックの宛先となるローカルノードに基づき前記トラフィックの少なくとも一部をソート処理し、前記トラフィックを前記受信波長により送信するよう動作可能なデータセンターノードと、
から構成され、
各ローカルノードは、相異なって割当てられた送信波長によりトラフィックを送信するよう構成され、前記送信波長は前記受信波長より小さい帯域幅により伝送されることを特徴とする光ネットワーク。
（付記２）
付記１記載の光ネットワークであって、
前記データセンターノードはさらに、集約されたストレージアプリケーションを提供し、前記集約されたストレージアプリケーションに関連するデータに対するリクエストを１以上のローカルノードから受信し、前記リクエストされたデータを前記ローカルノードに提供するよう動作可能なサービスモジュールを有することを特徴とするネットワーク。
（付記３）
付記２記載の光ネットワークであって、
前記リクエストされたデータは、オーディオビジュアルコンテンツから構成されることを特徴とするネットワーク。
（付記４）
付記１記載の光ネットワークであって、
前記ローカルノード宛てのトラフィックは、多重化され、前記受信波長により伝送され、ヘッダにより特定される部分を含み、
各ローカルノードはさらに、前記トラフィックの選択部分をアドレッシング情報に基づき１以上のローカルクライアントと通信するよう動作可能なスイッチを有する、
ことを特徴とするネットワーク。
（付記５）
付記１記載の光ネットワークであって、
前記受信波長は、毎秒１０ギガビット（Ｇｂ／ｓ）以上により伝送され、
前記送信波長の各々は、１Ｇｂ／ｓ以下の帯域幅により伝送される、
ことを特徴とするネットワーク。
（付記６）
付記１記載の光ネットワークであって、
前記複数のローカルノードはさらに、光電変換なしに前記受信波長によりトラフィックをパススルー及びドロップするよう動作可能であることを特徴とするネットワーク。
（付記７）
付記１記載の光ネットワークであって、
前記複数のローカルノードはさらに、光電変換なしに前記送信波長によりトラフィックをパススルーよう動作可能であることを特徴とするネットワーク。
（付記８）
付記１記載の光ネットワークであって、
前記受信波長は、第１受信波長から構成され、
前記データセンターノードはさらに、トラフィックが帯域幅閾値を超えることに応答して、第２受信波長により少なくとも１つのローカルノードに関連するトラフィックを送信するよう構成され、
前記少なくとも１つのローカルノードはさらに、前記第２受信波長によりトラフィックを受信するよう構成される、
ことを特徴とするネットワーク。
（付記９）
付記１記載の光ネットワークであって、
前記受信波長は、第１受信波長から構成され、
前記データセンターノードはさらに、前記第１受信波長の帯域幅が帯域幅閾値を超えることに応答して、第２受信波長によりトラフィックを伝送するよう動作可能である、
ことを特徴とするネットワーク。
（付記１０）
付記９記載の光ネットワークであって、
前記データセンターノードはさらに、ＯＳＣ（Ｏｐｔｉｃａｌ  Ｓｕｐｅｒｖｉｓｏｒｙ  Ｃｈａｎｎｅｌ）を伝送するよう動作可能であり、
前記ＯＳＣは、当該光ネットワークへの第１及び第２受信波長の追加の間の移行期間中に、ローカルノード宛てのトラフィックを伝送するよう動作可能である、
ことを特徴とするネットワーク。
（付記１１）
付記１記載の光ネットワークであって、
前記データセンターノードは、第１ハブノードを有し、第２光リングに関連する第２ハブノードに接続されることを特徴とするネットワーク。
（付記１２）
各自がローカルノードに割当てられ、他のローカルノードに割り当てられた送信波長と異なる複数の送信波長によりトラフィックを受信するよう動作可能な複数の受信機と、
前記トラフィックの宛先となるローカルノードに基づき、トラフィックをソート処理するよう動作可能であるデータセンターと、
受信波長により前記トラフィックを送信するよう動作可能な送信機と、
から構成されるデータセンターノードであって、
各ローカルノードは、前記受信波長を受信するよう構成され、
前記受信波長は、前記複数の送信波長より大きな帯域幅により送信される、
ことを特徴とするデータセンターノード。
（付記１３）
付記１２記載のデータセンターノードであって、
前記データセンターはさらに、集約されたストレージアプリケーションを提供し、前記集約されたストレージアプリケーションに関連するデータに対するリクエストを１以上のローカルノードから受信し、前記リクエストされたデータを前記ローカルノードに提供するよう動作可能なサービスモジュールを有することを特徴とするデータセンターノード。
（付記１４）
付記１３記載のデータセンターノードであって、
前記リクエストされたデータは、オーディオビジュアルコンテンツから構成されることを特徴とするデータセンターノード。
（付記１５）
付記１２記載のデータセンターノードであって、
前記ローカルノード宛てのトラフィックは、多重化され、前記受信波長により伝送され、ヘッダにより特定される部分を含み、
各ローカルノードはさらに、前記トラフィックの選択部分を前記ヘッダに基づき１以上のローカルクライアントと通信するよう動作可能なスイッチを有する、
ことを特徴とするデータセンターノード。
（付記１６）
付記１２記載のデータセンターノードであって、
前記受信波長は、毎秒１０ギガビット（Ｇｂ／ｓ）以上により伝送され、
前記送信波長の各々は、１Ｇｂ／ｓ以下の帯域幅により伝送される、
ことを特徴とするデータセンターノード。
（付記１７）
付記１２記載のデータセンターノードであって、
前記受信波長は、第１受信波長から構成され、
前記送信機は、第１送信機から構成され、
前記データセンターはさらに、前記第１受信波長により送信されたトラフィックが帯域幅閾値を超えることに応答して、第２受信波長により少なくとも１つのローカルノードに関連するトラフィックを送信するよう動作可能な第２送信機を有する、
ことを特徴とするデータノードセンター。
（付記１８）
光ネットワークにおいてトラフィックを送信する方法であって、
各自がローカルノードに割当てられ、他のローカルノードに割当てられた送信波長とは異なる複数の送信波長により複数のローカルノードからトラフィックを受信するステップと、
前記トラフィックの宛先となるローカルノードに基づき、前記トラフィックをソート処理するステップと、
前記トラフィックを受信波長により送信するステップと、
から構成され、
各ローカルノードは、前記受信波長を受信するよう構成され、
前記受信波長は、前記送信波長より大きな帯域幅により送信される、
ことを特徴とする方法。
（付記１９）
付記１８記載の方法であって、さらに、
少なくとも１つの集約されたストレージアプリケーションに関連するデータに対するリクエストを１以上のローカルノードから受信するステップと、
前記リクエストされたデータを前記ローカルノードに提供するステップと、
を有することを特徴とする方法。
（付記２０）
付記１８記載の方法であって、
前記リクエストされたデータは、オーディオビジュアルデータから構成されることを特徴とする方法。
（付記２１）
付記１８記載の方法であって、
前記ローカルノード宛てのトラフィックは、多重化され、前記受信波長により伝送され、アドレッシング情報により特定される部分を含み、
各ローカルノードはさらに、前記トラフィックの部分を前記アドレッシング情報に基づき１以上のローカルクライアントと通信するよう動作可能なスイッチを有する、
ことを特徴とする方法。
（付記２２）
付記２１記載の方法であって、
前記受信波長は、毎秒１０ギガビット（Ｇｂ／ｓ）以上により伝送され、
前記送信波長の各々は、１Ｇｂ／ｓ以下の帯域幅により伝送される、
ことを特徴とする方法。
（付記２３）
付記１８記載の方法であって、
前記受信波長は、第１受信波長から構成され、
当該方法はさらに、
前記第１受信波長により送信されたトラフィックが帯域幅閾値を超えることに応答して、第２受信波長により少なくとも１つのローカルノードに関連するトラフィックを送信するステップを有することを特徴とする方法。
（付記２４）
光ネットワークにおいてトラフィックを送信するためのシステムであって、
各自がローカルノードに割当てられ、他のローカルノードに割当てられた送信波長とは異なる複数の送信波長により複数のローカルノードからトラフィックを受信する手段と、
前記トラフィックの宛先となるローカルノードに基づき、前記トラフィックをソート処理する手段と、
前記トラフィックを受信波長により送信する手段と、
から構成され、
各ローカルノードは、前記受信波長を受信するよう構成され、
前記受信波長は、前記送信波長より大きな帯域幅により送信される、
ことを特徴とするシステム。
（付記２５）
付記２４記載のシステムであって、さらに、
少なくとも１つの集約されたストレージアプリケーションに関連するデータに対するリクエストを１以上のローカルノードから受信する手段と、
前記リクエストされたデータを前記ローカルノードに提供する手段と、
を有することを特徴とするシステム。
（付記２６）
付記２２記載のシステムであって、
前記受信波長は、第１受信波長から構成され、
当該システムはさらに、
前記第１受信波長により送信されたトラフィックが帯域幅閾値を超えることに応答して、第２受信波長により少なくとも１つのローカルノードに関連するトラフィックを送信する手段を有することを特徴とするシステム。
（付記２７）
各自がローカルノードに割当てられ、他のローカルノードに割当てられた送信波長と異なる複数の送信波長によりトラフィックを受信するよう動作可能な複数の受信機と、
前記トラフィックの宛先となるローカルノードに基づきトラフィックをソート処理し、サービスモジュールを介し集約されたストレージアプリケーションを提供し、前記集約されたストレージアプリケーションに関連するオーディオビジュアルコンテンツに対するリクエストを１以上のローカルノードから受信し、前記リクエストされたオーディオビジュアルコンテンツを前記ローカルノードに提供するよう動作可能なデータセンターと、
前記送信波長より大きな帯域幅を有する第１受信波長により前記トラフィックを送信するよう動作可能な第１送信機と、
前記第１受信波長により送信されるトラフィックが帯域幅閾値を超えることに応答して、第２受信波長により少なくとも１つのローカルノードに関連するトラフィックを送信するよう動作可能な第２送信機と、
から構成されるデータセンターノードであって、
各ローカルノードは、前記受信波長を受信するよう構成されることを特徴とするデータセンターノード。
【図面の簡単な説明】
【００６２】
【図１】図１は、本発明の一実施例による光リングネットワークを示すブロック図である。
【図２Ａ】図２Ａは、図１の光リングネットワークの一例となる動作を示すブロック図である。
【図２Ｂ】図２Ｂは、本発明の一実施例による光リングネットワークのトラフィックバッファを図解的に示す。
【図３】図３は、図１の光リングネットワークのアッド／ドロップノードの一実施例を示すブロック図である。
【図４】図４は、図１の光リングネットワークのアッド／ドロップノードの他の実施例を示すブロック図である。
【図５】図５は、本発明の他の実施例による光リングネットワークを示すブロック図である。
【図６】図６は、本発明の他の実施例による光リングネットワークを示すブロック図である。
【図７】図７は、本発明の一実施例による光通信システムにおける情報を送信するための一例となる方法を示す。
【図８】図８は、図７の移行ステップの一実施例を示す。
【図９】図９は、図７の移行ステップの他の実施例を示す。
【符号の説明】
【００６３】
１０  光リングネットワーク
１２  データセンターノード
１４  ローカルノード
２０  光リング
２２  マルチプレクサ
２８  送信機
３０  デマルチプレクサ
３２  受信機
３６  スイッチ
３８  サービスモジュール
４２  トラフィックバッファ
４４  コントローラ
６２、６４  トランスポート要素
６６  受信要素
６８  送信要素
７０  アンプ
７２  ドロップカプラ
７４  アッドフィルタ
【図１】
2006074765.tif 000003
【図２Ａ】
2006074765.tif 000004
【図２Ｂ】
2006074765.tif 000005
【図３】
2006074765.tif 000006
【図４】
2006074765.tif 000007
【図５】
2006074765.tif 000008
【図６】
2006074765.tif 000009
【図７】
2006074765.tif 000010
【図８】
2006074765.tif 000011
【図９】
2006074765.tif 000012